(57)【特許請求の範囲】
【請求項１】
エンジンを搭載した走行機体の両側に配置した施肥ノズルの昇降動作に連動して、該施肥ノズルからポンプにより圧送される流動性肥料を地中に施肥する施肥機において、
前記エンジンからの動力が伝達される伝導軸と、該伝導軸に連動して回転するクランク軸と、該クランク軸の回転により揺動駆動される左右２個のアーム駆動軸と、を回転自在に支持する伝導ケースを、前記走行機体に対して昇降調節可能に支持し、
前記伝導ケースに、左右２個の前記施肥ノズルを昇降自在に支持すると共に左右２個の前記ポンプを一体的に取付け、かつ前記施肥ノズルを前記クランク軸にて昇降駆動すると共に前記ポンプを左右２個の前記アーム駆動軸にてそれぞれ駆動し、
前記左右２個のアーム駆動軸と前記左右２個のポンプとの間に、前記アーム駆動軸から前記ポンプへの駆動を断接し得る断接手段をそれぞれ配置して、これら断接手段により左右いずれか一方の前記施肥ノズルへの流動性肥料の圧送の停止を可能にしてなる、
施肥機の施肥装置。
【発明の詳細な説明】
【０００１】
【発明の属する技術分野】
本発明は、走行機体の両側に設けた施肥ノズルの昇降動作に連動して、該施肥ノズルからポンプにより圧送される流動性肥料を地中に施肥する施肥機に係り、詳しくは、前記施肥機の施肥装置に関する。
【０００２】
【従来の技術】
従来、開発中の、特開平６−５４６１２号公報および実開平５−７４２２１号公報に示すように、走行機体の両側に設けた施肥ノズルの昇降動作に連動して、該施肥ノズルが地中に打込まれた時、ポンプから圧送される流動性肥料を所定間隔ごとに地中に施肥するようにした点状施肥装置を装着した施肥機であって、走行機体に前部支柱を立設し、この前部支柱に略水平な横方向のツールバーを取付け、前記点状施肥装置を上記ツールバーの両端部に横傾動調節可能に装着し、左右両側に施肥をする施肥機は既に知られている。
【０００３】
【発明が解決しようとする課題】
従来既に知られている、走行機体の両側に設けた施肥ノズルの昇降動作に連動して、該施肥ノズルが地中に打込まれた時、ポンプから圧送される流動性肥料を所定間隔ごとに地中に施肥するようにした点状施肥装置を装着した施肥機では、圃場の最外端の畦を施肥する時、左右いずれか不必要な側にもに無駄な肥料を施肥することとなる。
【０００４】
そこで本発明は、圃場の最外端の畦を施肥する時、必要な側のみに施肥が出来るようにすることを目的とする。
【０００５】
【課題を解決するための手段】
本発明は、上述事情に鑑みなされたものであって、エンジン（４）を搭載した走行機体（１，３）の両側に配置した施肥ノズル（１３）の昇降動作に連動して、該施肥ノズルからポンプ（３５）により圧送される流動性肥料を地中に施肥する施肥機において、
前記エンジンからの動力が伝達される伝導軸（１９）と、該伝導軸に連動して回転するクランク軸（２１）と、該クランク軸の回転により揺動駆動される左右２個のアーム駆動軸（４１）（４１ａ）と、を回転自在に支持する伝導ケース（１６）を、前記走行機体（１，３）に対して昇降調節可能に支持し、
前記伝導ケース（１６）に、左右２個の前記施肥ノズル（１３）を昇降自在に支持すると共に左右２個の前記ポンプ（３５）を一体的に取付け、かつ前記施肥ノズルを前記クランク軸（２１）にて昇降駆動すると共に前記ポンプを左右２個の前記アーム駆動軸（４１）（４１ａ）にてそれぞれ駆動し、
前記左右２個のアーム駆動軸と前記左右２個のポンプとの間に、前記アーム駆動軸から前記ポンプへの駆動を断接し得る断接手段（４４）をそれぞれ配置して、これら断接手段により左右いずれか一方の前記施肥ノズルへの流動性肥料の圧送の停止を可能にしてなる、
施肥機の施肥装置にある。
【０００６】
（作用）
前記構造により、走行機体（１）を前進させながら、圃場の最外端の畦を施肥する際には、前記切換装置を、左右いずれか片方の、不必要な側のみのポンプ（３５）の作動を停止するよう、ポンプ（３５）の駆動部（３９）に設けられた断接手段（４４）で切換えて施肥作業をすると、該側ポンプ（３５）駆動が断たれ、施肥ノズル（１３）への流動性肥料の圧送が停止して、必要な側のみに施肥が出来る。
【０００７】
なお、上述カッコ内の符号は、図面と対照するものであるが、何ら本発明の構成を限定するものではない。
【０００８】
【発明の実施の形態】
次に本発明の実施の形態を、図面に示された好適な実施例に基づいて詳細に説明する。まず図１〜図３において、１は施肥機の走行機体であって、左右の走行車輪２を備えた機体フレーム３の前部にエンジン４が搭載され、その上方には肥料タンク５、燃料タンク６等が配設されている。９は肥料受け板である。また機体フレーム３の後端部には尾輪１０が装着され、その上方には操作ハンドル１１が立設されている。
【０００９】
１２はエンジン４からの動力伝導部、１３は機体の左右両側に設けた施肥ノズルであって、上記動力伝導部１２に連動する施肥ノズル１３がガイド板１４の案内溝に沿って上下動する。１６は上記動力伝導部１２を覆う伝導ケースであって、この伝導ケース１６に、施肥ノズル１３およびポンプ３５が取付られている。
【００１０】
前記伝導ケース１６は、走行機体１の後部に立設したフレーム３ａの上下位置に形成した長孔３ｂと複数個の取付孔３ｃとで固定されている。
【００１１】
動力伝導部１２は、ミッションケース１７側の駆動プーリ１８ａを支持する入力軸１８と動力伝導部１２側の従動プーリ１９ａを支持する伝導シャフト１９とが、ベルト伝動機構２０を介して連動運結されており、この伝導シャフト１９が伝導ケース１６の上部側に設けたクランク軸２１に、チェン伝動機構２２を介して連結されている。２３はクランク軸２１に設けたチェンスプロケットである。
【００１２】
２５はベルト伝動機構２０のテンションプーリであって、このテンションプーリ２５が操作ハンドル１１に設けた操作レバー２６にワイヤ２７で連結されており、操作レバー２６の操作により、エンジン４からの動力を断続する。
【００１３】
上記クランク軸２１の両側には、クランクアーム２８の回転軸２９がジョンイント部３０を介して連結され、クランクアーム２８に連結した連結ロッド３１の先端に前記施肥ノズル１３が装着されている。
【００１４】
また、上記回転軸２９にガイド板１４が支持されており、ガイド板１４の案内溝に施肥ノズル１３の突出杆１３ａが摺動自在に嵌入して、クランク軸２１の回転に伴って施肥ノズル１３が案内溝に沿って上下動するものである。
【００１５】
３５は前記肥料タンク５から肥料繰出しポンプ３６を経て連結されたプランジャ型のポンプであって、このポンプ３５の肥料送出側がホースを介して施肥ノズル１３の上端に連結されている。
【００１６】
また、３８，３８ａはクランク軸２１に設けたカム、３９，３９ａはカム３８，３８ａの回転により上下揺動するアームであって、このアーム３９，３９ａがポンプ３５のプランジャ軸４０の頭部４０ａを押し下げて、施肥ノズル１３が土中に進入したときに肥料を送出すようになっている。
【００１７】
更にカム３８，３８ａ部の構造を詳述すると、図４及び図５に示すように、クランク軸２１の後方には左右独立したアーム駆動軸４１，４１ａが前記伝導ケース１６に軸支されている。
【００１８】
アーム駆動軸４１，４１ａの伝導ケース１６の内側には、先端に回転体４２を保持するアーム４３，４３ａが固着され、伝導ケース１６の外側はスプライン軸を介してアーム３９，３９ａのボス部に係合している。
【００１９】
前記クランク軸２１の回転によりカム３８，３８ａが回転し、カム３８，３８ａに接している回転体４２を保持するアーム４３，４３ａを固着したアーム駆動軸４１，４１ａが間欠的に揺動し、アーム３９，３９ａを、施肥ノズル１３の上下動に連動して、上下動をさせる。
【００２０】
アーム３９，３９ａのボス部は図４に示すように、内径はスプラインによってアーム駆動軸４１，４１ａに対して摺動自在に係合し、外径部にはアーム３９，３９ａとの間にスプリング４８に付勢されたラッチ４４を配設し、ラッチ４４の先端はボス部を貫通し、アーム駆動軸４１，４１ａの軸方向の内外２箇所に設けられた貫通孔４５，４６のいずれかに嵌入して、アーム３９，３９ａの位置決めをしている。
【００２１】
即ち、ラッチ４４を操作してアーム３９，３９ａ位置を内外に切換え、アーム３９，３９ａが内側の貫通孔４５にある時は、アーム３９，３９ａの先端下部が、プランジャ軸４０の頭部４０ａに接する位置にあり、外側貫通孔４６にある時は、プランジャ軸４０の頭部４０ａの垂直面から外側に外れた位置になり、クランク軸２１が回転しても該側のアーム３９，３９ａは空間で上下動するように構成されている。
【００２２】
上記のように構成したので、走行機体１を前進させながら、圃場の最外端の畦を施肥する際には、圃場の外側に相当する左右いずれか片方のアーム３９，３９ａの位置をアーム駆動軸４１，４１ａの外側の位置に固定すると、該側のポンプは作動せず、肥料を送出さず、反対側のポンプ３５のみが作動して、肥料を施肥ノズル１３に送出す。
【００２３】
【発明の効果】
本発明は、走行機体の両側に設けた施肥ノズルの昇降動作に連動して、該施肥ノズルからポンプにより圧送される流動性肥料を地中に施肥する施肥機において、前記施肥ノズルを昇降駆動する動力伝導部に施肥ノズルおよびポンプを取付け、該施肥ノズルおよびポンプを前記動力伝導部と一体的に昇降調節可能に構成すると共に、前記ポンプの駆動部に断接手段を設け、該断接手段の操作により左右いずれか片方の施肥ノズルへの流動性肥料の圧送の停止を可能にしたので、装置の左右バランスを保持しつつ圃場の最外端の畦の左右いずれかの片側の畦のみの施肥が可能になり、肥料のムダがなくなった。
【図面の簡単な説明】
【図１】施肥機の全体側面図である。
【図２】施肥機構の側面図である。
【図３】施肥機の全体背面図である。
【図４】施肥機の動力伝導部の断面図を示し、（ａ）は全体図、（ｂ）はアームの側面図である。
【図５】施肥機の動力伝導部の右側面外観図である。
【符号の説明】
１        走行機体
２        走行車輸
３        機体フレーム
４        エンジン
５        肥料タンク
６        燃料タンク
１１      操作ハンドル
１２      動力伝導部
１３      施肥ノズル
１６      伝導ケース
１８      入力軸
１９      伝導シャフト
３５      ポンプ
３８      カム
３９      アーム
４０      プランジャ軸
４４      ラッチ
【図１】
0003891681.tif 000002
【図２】
0003891681.tif 000003
【図３】
0003891681.tif 000004
【図４】
0003891681.tif 000005
【図５】
0003891681.tif 000006